(57)【特許請求の範囲】
【請求項１】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記パラメータの中の前記ユーザが設定した最大待ち時間を上回るWebサービスに関する記載を前記Webサービス群から最初に検索されたWebサービスの記載に置き換える第１１のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項２】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から待ち時間が最も短いWebサービスを検索する第１４のステップと、
前記パラメータの中の前記ユーザが設定した最大待ち時間を上回るWebサービスに関する記載を第１４のステップの検索結果のWebサービスの記載に置き換える第１５のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項３】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記パラメータの中の前記ユーザが設定した最大待ち時間を上回るWebサービスに関する記載を前記Webサービス群から任意のWebサービスを選択できるような記載に置き換える第１６のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項４】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２の記憶手段にアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在時刻よりアクセス回数の有効時間以前迄のアクセス数がアクセス回数要求に達していないWebサービスを検索する第１７のステップと、
前記パラメータの中の前記ユーザが設定した最大待ち時間を上回るWebサービスに関する記載を前記第１７のステップの検索結果のWebサービスの記載に置き換える第１８のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項５】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２の記憶手段にアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在時刻よりアクセス回数の有効時間以前迄のアクセス数が最小のWebサービスを検索する第１９のステップと、
前記パラメータの中の前記ユーザが設定した最大待ち時間を上回るWebサービスに関する記載を前記第１９のステップでの検索結果のWebサービスの記載に置き換える第２０のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項６】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２のステップでアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在時刻よりアクセス回数の有効時間以前迄のアクセス数がアクセス回数要求に達していないWebサービス群を検索する第２１のステップと、
前記パラメータの中の前記ユーザが設定した最大待ち時間を上回るWebサービスに関する記載を前記第２１のステップでの検索結果のWebサービス群から任意のWebサービスを選択できるような記載に置き換える第２２のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項７】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在のアクセス数が制限アクセス数に達していないWebサービス群を検索する第２３のステップと、
前記パラメータの中の前記ユーザが設定した最大待ち時間を上回るWebサービスに関する記載を前記第２３のステップの結果から最初に検索されたWebサービスに関する記載に置き換える第２４のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項８】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在のアクセス数が制限アクセス数に達していないWebサービス群を検索する第２３のステップと、
前記Webサービス群から現在のアクセス数が最小のアクセス数のWebサービスを検索する第２５のステップと、
前記パラメータの中の前記ユーザが設定した最大待ち時間を上回るWebサービスに関する記載を前記第２５のステップでの結果のWebサービスに関する記載に置き換える第２６のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項９】
ユーザ識別情報を記憶する第１の記憶手段に登録する第１のステップと、
Webサービスを提供するコンテンツサーバにカテゴリを設定して、カテゴリ別にコンテンツサーバ情報を記憶する第２の記憶手段に登録する第２のステップと、
ユーザ毎のポータルサイトを作成する為のユーザ設定情報を記憶する第３の記憶手段に登録する第３のステップと、
コンテンツサーバの応答履歴を記憶する第４の記憶手段に登録する第４のステップと、
ユーザが設定した情報を登録する第５のステップと、
ユーザ設定入力用ページを作成する第６のステップと、
コンテンツサーバ情報を作成および登録する第７のステップと、
コンテンツサーバとユーザ端末を中継する第８のステップとを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、
前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、
前記Webサービス群から、現在のアクセス数が制限アクセス数に達していないWebサービス群を検索する第２３のステップと、
前記パラメータの中の前記ユーザが設定した最大待ち時間を上回るWebサービスに関する記載を前記第２３のステップでの結果のWebサービス群から任意のWebサービスを選択できるような記載に置き換える第２７のステップと、
前記パラメータからユーザ毎のポータルサイトを作成する第１２のステップと、
前記ユーザ毎のポータルサイトをユーザに返送する第１３のステップと、からなることを特徴とするポータルサイト作成方法。
【請求項１０】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記パラメータの中の前記ユーザが設定した最大待ち時間を上回るWebサービスに関する記載を前記Webサービス群から最初に検索されたWebサービスの記載に置き換える第１１の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１１】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から待ち時間が最も短いWebサービスを検索する第１４の手段と、
前記パラメータの中の前記ユーザが設定した最大待ち時間を上回るWebサービスに関する記載を第１４の手段での検索結果のWebサービスの記載に置き換える第１５の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１２】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、コンテンツサーバとユーザ端末の間に位置するポータルサイトにおいて、
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記パラメータの中の前記ユーザが設定した最大待ち時間を上回るWebサービスに関する記載を前記Webサービス群から任意のWebサービスを選択できるような記載に置き換える第１６の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１３】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の記憶手段にアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在時刻よりアクセス回数の有効時間以前迄のアクセス数がアクセス回数要求に達していないWebサービスを検索する第１７の手段と、
前記パラメータの中の前記ユーザが設定した最大待ち時間を上回るWebサービスに関する記載を前記第１７の手段の検索結果のWebサービスの記載に置き換える第１８の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１４】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の記憶手段にアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在時刻よりアクセス回数の有効時間以前迄のアクセス数が最小のWebサービスを検索する第１９の手段と、
前記パラメータの中の前記ユーザが設定した最大待ち時間を上回るWebサービスに関する記載を前記第１９の手段の検索結果のWebサービスの記載に置き換える第２０の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１５】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の手段でアクセス回数要求とアクセス回数を計測するためのアクセス回数の有効時間を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在時刻よりアクセス回数の有効時間以前迄のアクセス数がアクセス回数要求に達していないWebサービス群を検索する第２１の手段と、
前記パラメータの中の前記ユーザが設定した最大待ち時間を上回るWebサービスに関する記載を前記第２１の手段の検索結果のWebサービス群から任意のWebサービスを選択できるような記載に置き換える第２１の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１６】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在のアクセス数が制限アクセス数に達していないWebサービス群を検索する第２３の手段と、
前記パラメータの中の前記ユーザが設定した最大待ち時間を上回るWebサービスに関する記載を前記第２３の手段の結果から最初に検索されたWebサービスに関する記載に置き換える第２４の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１７】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在のアクセス数が制限アクセス数に達していないWebサービス群を検索する第２３の手段と、
前記Webサービス群から現在のアクセス数が最小のアクセス数のWebサービスを検索する第２５の手段と、
前記パラメータの中の前記ユーザが設定した最大待ち時間を上回るWebサービスに関する記載を前記第２５の手段での結果のWebサービスに関する記載に置き換える第２６の手段と、
前記パラメータからユーザ毎のポータルサイトを作成する第１２の手段と、
前記ユーザ毎のポータルサイトをユーザに返送する第１３の手段と、を備えるポータルサイト作成装置。
【請求項１８】
ユーザ識別情報を記憶する第１の記憶手段と、
Webサービスを提供するコンテンツサーバにカテゴリを設定して、カテゴリ別にコンテンツサーバ情報を記憶する第２の記憶手段と、
ユーザ毎のポータルサイトを作成する為のユーザ設定情報を記憶する第３の記憶手段と、
コンテンツサーバの応答履歴を記憶する第４の記憶手段と、
ユーザが設定した情報を登録する第５の手段と、
ユーザ設定入力用ページを作成する第６の手段と、
コンテンツサーバ情報を作成および登録する第７の手段と、
コンテンツサーバとユーザ端末を中継する第８の手段とを有し、前記第２の記憶手段に制限アクセス数を各Webサイトに設定でき、コンテンツサーバとユーザ端末の間に位置するポータルサイトにおいて
ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９の手段と、
前記第９の手段で記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０の手段と、
前記Webサービス群から、現在のアクセス数が制限アクセス数に達していないWebサービス群を検索する第２３の手段と、
前記パラメータの中の前記ユーザが設定した最大待ち時間を上回るWebサービスに関する記載を前記第２３の手段での結果のWebサービス群から任意のWebサービスを選択できるような記載に置き換える第２７の手段と、
前記パラメータからユーザ毎のポータルサイトを作成する第１２の手段と、
前記ユーザ毎のポータルサイトをユーザに返送する第１３の手段と、を備えるポータルサイト作成装置。
【発明の詳細な説明】
【０００１】
【発明の属する技術分野】
本発明は、ポータルサイト作成方法およびポータルサイト作成装置に関する。
【０００２】
【従来の技術】
近年、パソコンや携帯電話などの急速な普及によって、インターネット上のWebサイト（コンテンツサーバ又は、Webサーバ）で提供されるニュース情報や、交通情報を利用することが一般的になっている。
【０００３】
Webサイトの中で、ニュース情報や交通情報へのリンク先を紹介又は、提供するサイトはポータルサイト（ポータルサーバ）と呼ばれ、ユーザは、ポータルサイトから効率よく情報にアクセスすることができる。
【０００４】
しかし、アクセスの集中やWebサービスを提供しているWebサーバのバックエンド・システムの処理が遅いなどの理由から、ユーザの待ち時間が長くなる場合、ユーザがストレスを感じるという問題点やユーザが必要な情報をリアルタイムに取得できないという問題点があった。
【０００５】
また、応答に時間のかかるWebサイトであると気付かずにアクセスするため、ネットワーク負荷の増大をもたらすという問題点があった。
【０００６】
これら問題に対し、特開平１１−２１９３１３号公報では、応答の待ち時間を軽減する方法としてコンテンツを先読みする方法が示されており、特開２０００−３１５１７１号公報ではキャッシュサーバを用いて予めデータを取得する方法が示されていた。
【０００７】
また、特開２０００−２５９５９５号公報では、TCP/IPネットワークにおけるウェブ・ファイアウォールを最適に選択する方法として、使用可能度および応答時間のプローブを用いる方法で、応答時間を測定する方法が示されている。
【０００８】
特開平１１−２５９４８６号公報では、閲覧用ホームページ作成方法および閲覧用ホームページ作成装置として、インターネットプロバイダーがクライアントからの閲覧用ホームページ作成要求により、検索エンジンおよび検索用データベースから、クライアントが要求する閲覧項目に該当する情報を提供しているホームページのURLリストを作成し、それぞれのURLを該当するホームページにハイパーリンクした閲覧用ホームページを、クライアント毎に作成・登録・管理し、クライアントは登録されたホームページにアクセスすることにより、所要の情報を入手できる方法と装置について示している。
【０００９】
【発明が解決しようとする課題】
しかしながら、これらの従来方法における第１の課題は、応答・障害プローブを用いて一定周期でファイアウォールの最適な選択を行う方法では、本来のWebにアクセスする場合と異なりユーザが利用しない情報を取得する為に、ネットワーク負荷の増大と情報提供先のWebシステムに余計な負荷をもたらすという問題である。
【００１０】
第２の課題は、また、各Webサイトの最新の障害・応答性に関する情報を入手できるわけではないという問題である。
【００１１】
これらの課題は、クライアントからの閲覧用ホームページ作成要求により、検索エンジンで検索用データベースを参照し前記クライアントの要求する閲覧項目に該当する情報を提供しているWebサイトのURLリストを作成し、URLリストに該当するWebサイトとハイパーリンクさせた閲覧用ホームページをクライアント毎に作成・登録・管理する方法においても同様の課題であり、閲覧用ホームページに掲載されたWebサイトの障害・応答性に関する情報が無くクライアントは閲覧用ホームページに掲載された同一カテゴリ内の複数のWebサイトに逐次アクセスしてみないと各Webサイトが障害中か否か、又はどの程度待たされるのかが不明であった。
【００１２】
さらに、これらの課題は、コンテンツを先読みする方法およびキャッシュサーバを用いて予めデータを取得する方法においても同様の課題があった。
【００１３】
本発明は、上記課題に鑑みなされたものであり、第１の課題に対し、ネットワークと情報提供先のWebサイトシステムに不用な負荷の増大をもたらさないポータルサイト作成方法およびポータルサイト作成装置を提供することを第１の目的とする。
【００１４】
また、第２の課題であるアクセスしてみないとコンテンツを提供しているWebサイトの応答性について分からないという課題に対し、最新で待ち時間が保証されたWebサイトの情報をユーザに提供するポータルサイト作成方法およびポータルサイト作成装置を提供することを第２の目的とする。
【００１５】
さらに、近年Webサイトにおける広告ビジネスが盛んであり、Webサイト選定において、前記第１の目的を満たすWebサイトが複数ある場合、広告ビジネスが成立つようにWebサイトを選定する機能がポータルサイトに求められており、本発明はこれらの要求を満たす事を第３の目的とする。
【００１６】
【課題を解決するための手段】
本発明の第１の観点によれば、ユーザ識別情報を記憶する第１の記憶手段に登録する第１のステップと、Webサービスを提供するコンテンツサーバにカテゴリを設定して、カテゴリ別にコンテンツサーバ情報を記憶する第２の記憶手段に登録する第２のステップと、ユーザ毎のポータルサイトを作成する為のユーザ設定情報を記憶する第３の記憶手段に登録する第３のステップと、コンテンツサーバの応答履歴を記憶する第４の記憶手段に登録する第４のステップと、ユーザが設定した情報を登録する第５のステップと、ユーザ設定入力用ページを作成する第６のステップと、コンテンツサーバ情報を作成および登録する第７のステップと、コンテンツサーバとユーザ端末を中継する第８のステップとを有し、コンテンツサーバとユーザ端末の間に位置するポータルサイトにおいて、ユーザからポータルサイトに接続要求があった場合に、前記第３の記憶手段から作成されるパラメータの中に前記第４の記憶手段にある待ち時間が前記第３の記憶手段にある最大待ち時間を上回るWebサービスに関する記載がある事を検出する第９のステップと、前記第９のステップで記載がある事を検出した場合に、前記第４の記憶手段に、前記Webサービスと同じカテゴリで登録してあり、かつ前記第４の記憶手段にある待ち時間が前記第３の記憶手段にある最大待ち時間以下であるWebサービスであり、かつ前記第４の記憶手段にある最新アクセス時刻が現在時刻より前記第３の記憶手段にある履歴の有効時間前以内であるWebサービス群を検索する第１０のステップと、前記パラメータの中の前記ユーザが設定した最大待ち時間を上回るWebサービスに関する記載を前記Webサービス群から最初に検索されたWebサービスの記載に置き換える第１１のステップと、前記パラメータからユーザ毎のポータルサイトを作成する第１２のステップと、前記ユーザ毎のポータルサイトをユーザに返送する第１３のステップと、からなることを特徴とするポータルサイト作成方法が提供される。
【００１７】
上記のポータルサイト作成方法において、前記第１１のステップを前記第１０のステップでの結果のWebサービス群から待ち時間が最も短いWebサービスを検索する第１４のステップと、前記パラメータの中の前記ユーザが設定した最大待ち時間を上回るWebサービスに関する記載を第１４のステップでの検索結果のWebサービスの記載に置き換える第１５のステップとに変更するポータルサイト作成方法であってもよい。
【００１８】
上記のポータルサイト作成方法において、前記第１１のステップを前記第１０のステップでの結果のWebサービス群から任意のWebサービスを選択できるような記載に置き換える第１６のステップに変更したポータルサイト作成方法であってもよい。
【００１９】
上記のポータルサイト作成方法において、前記第１１のステップを前記第１０のステップでの結果のWebサービス群から、現在のアクセス数が制限アクセス数に達していないWebサービス群を検索する第２３のステップと、パラメータの中の前記ユーザが設定した最大待ち時間を上回るWebサービスに関する記載を前記第２３のステップの結果から最初に検索されたWebサービスに関する記載に置き換える第２４のステップとに変更したポータルサイト作成方法であってもよい。
【００２０】
上記のポータルサイト作成方法において、前記第１１のステップを前記第１０のステップのWebサービス群から、現在のアクセス数が制限アクセス数に達していないWebサービス群を検索する第２３のステップと、前記Webサービス群から現在のアクセス数が最小のアクセス数のWebサービスを検索する第２５のステップと、前記パラメータの中の前記ユーザが設定した最大待ち時間を上回るWebサービスに関する記載を前記第２５のステップでの結果のWebサービスに関する記載に置き換える第２６のステップとに変更したポータルサイト作成方法であってもよい。
【００２１】
上記のポータルサイト作成方法において、前記第１１のステップを前記第１０のステップでの結果のWebサービス群から、現在のアクセス数が制限アクセス数に達していないWebサービス群を検索する第２３のステップと、前記パラメータの中の前記ユーザが設定した最大待ち時間を上回るWebサービスに関する記載を前記第２３のステップでの結果のWebサービス群から任意のWebサービスを選択できるような記載に置き換える第２７のステップとに変更したポータルサイト作成方法であってもよい。
【００２２】
更に、上記のポータルサイト作成方法は、前記第１１のステップを前記第１０のステップでの結果のWebサービス群から、現在時刻よりアクセス回数の有効時間以前迄のアクセス数がアクセス回数要求に達していないWebサービスを検索する第１７のステップと、前記パラメータの中の前記ユーザが設定した最大待ち時間を上回るWebサービスに関する記載を前記第１７のステップでの検索結果のWebサービスの記載に置き換える第１８のステップとに変更したポータルサイト作成方法であってもよい。
【００２３】
更に、上記のポータルサイト作成方法は、前記第１１のステップを前記第１０のステップでの結果のWebサービス群から、現在時刻よりアクセス回数の有効時間以前迄のアクセス数が最小のWebサービスを検索する第１９のステップと、前記パラメータの中の前記ユーザが設定した最大待ち時間を上回るWebサービスに関する記載を前記第１９のステップでの検索結果のWebサービスの記載に置き換える第２０のステップとに変更したポータルサイト作成方法でも良い。
【００２４】
更に、上記のポータルサイト方法は、前記第１１のステップを前記第１０のステップでの結果のWebサービス群から、現在時刻よりアクセス回数の有効時間以前迄のアクセス数がアクセス回数要求に達していないWebサービス群を検索する第２１のステップと、前記パラメータの中の前記ユーザが設定した最大待ち時間を上回るWebサービスに関する記載を前記第２１のステップでの検索結果のWebサービス群から任意のWebサービスを選択できるような記載に置き換える第２２のステップとに変更したポータルサイト作成方法であってもよい。
【００２５】
［作用］
【００２６】
【発明の実施の形態】
本発明の実施の形態１を図に基づいて説明する。
【００２７】
[実施の形態１]
図１は、本発明の実施の形態１における、ポータルサーバ１の基本構成を示したものであり、ポータルサーバ１には、本発明を実現する為の機能要素として、ユーザ識別情報データベース１１、コンテンツサーバ情報データベース１２、ユーザ設定情報データベース１３、応答履歴データベース１４、ユーザ設定登録機能１５、ユーザ設定入力用ページ作成機能１６、コンテンツサーバ登録機能１７、ポータルサイト作成用パラメータ作成機能１８、プロキシ機能１９、ポータルサイト作成機能２０を備えている。
【００２８】
図２は、本発明の実施の形態１における基本接続構成を示したものでポータルサーバ１は、コンテンツサーバ３とユーザ端末２の間に位置しており、これらは通信ネットワークで接続されている。
【００２９】
図１および図２を用いて、本発明の実施の形態１におけるポータルサーバの基本構成と基本接続構成を詳細に説明する。
【００３０】
ユーザ識別情報データベース１１は、ユーザID、ユーザ名、ユーザ端末の属性情報、ユーザの電話番号、最新アクセス時刻などを登録するためのデータベースであり、ユーザ設定を行う際に作成される。
【００３１】
コンテンツサーバ情報データベース１２は、コンテンツのカテゴリ、コンテンツサーバのコンテンツ名、URL、アクセス回数要求、アクセス回数の有効時間、制限アクセス数などを登録するためのデータベースであるが、ここでコンテンツのカテゴリとは、“ニュース”、“渋滞情報”、“株価情報”など提供されるWebサービスの内容の属性を表している。
【００３２】
ユーザ設定情報データベース１３は、マイ・ポータルサイトを作成するために、ユーザID、最大待ち時間、履歴の有効時間、カテゴリ別のコンテンツ名などの設定情報を登録するためのデータベースであり、ユーザ毎に用意する。
【００３３】
応答履歴データベース１４は、コンテンツサーバに対する全登録ユーザの全登録コンテンツサーバへのアクセス時刻、待ち時間、アクセス回数、現在のアクセス数等の履歴を登録するためのデータベースである。
【００３４】
ユーザ設定登録機能１５は、マイ・ポータルサイトを作成するために、ユーザが設定したデータを読み取り、ユーザ設定情報データベース１３に保存する処理を行う。
【００３５】
ユーザ設定入力用ページ作成機能１６は、ユーザ設定登録機能１５を実施するために、ユーザ端末に送信する、入力ページを作成する処理を行う。
【００３６】
コンテンツサーバ登録機能１７は、コンテンツサーバ情報データベース１２に登録するデータを作成する処理を行う。
【００３７】
ポータルサイト作成用パラメータ作成機能１８は、ポータルサイト作成機能２０に渡すパラメータを作成、編集する処理を行う。
【００３８】
プロキシ機能１９は、ユーザ端末２からコンテンツサーバ３へのアクセスを中継する処理を行う。
【００３９】
ポータルサイト作成機能２０は、パラメータから、ユーザ端末２に提供するユーザ毎のポータルサイトを動的に作成する機能を持つ。
【００４０】
ポータルサーバ１（ポータルサイト）とは、検索サービス、ニュースなどの情報提供サービス、チャットなどのコミュニケーション・サービス、ブラウザから電子メールを送受信できるWebメールなどの、Webサービスを一括して紹介又は提供するサイトを指す。
【００４１】
ユーザ端末２は、ポータルサーバ１を中継することで、コンテンツサーバ３が提供するWebサービスを利用できる機能と、ポータルサーバ１でマイ・ポータルサイトを作成するための設定を行う機能と、ポータルサーバ１にアクセスする際にユーザ識別情報を送信する機能とを持つ。
【００４２】
コンテンツサーバ３は、ポータルサーバ１で登録されているWebサービスを提供する機能を持つ。
【００４３】
ユーザ毎のポータルサイト（以降、マイ・ポータルサイト）を提供する方法において、ユーザが自分の好みを反映したマイ・ポータルサイトを提供する場合を例に挙げて説明する。
【００４４】
図３は、ポータルサイトがユーザ端末にマイ・ポータルサイトを提供し、かつ、応答履歴を記録するまでの動作である。
【００４５】
図２、図３の１０１〜１０５を使って、ユーザ端末にマイ・ポータルサイトを提供する動作を説明する。
【００４６】
ポータルサーバ１は、ユーザ端末にアクセスされると（１０１）、ユーザ端末から受信するユーザ識別情報を利用してユーザの識別を行い、該ユーザのユーザ設定情報データベース１３からポータルサイト作成用パラメータ（パラメータ）を抽出する（１０２）。
【００４７】
次に、抽出したパラメータの中に記載されている、待ち時間がユーザ設定の閾値を上回るWebサービスがあれば、Webサービスに関する応答履歴データベース１４を検索し、パラメータを編集する（１０３）。
【００４８】
次に、編集したパラメータを使用して、マイ・ポータルサイトを作成し（１０４）、ユーザに送信する（１０５）。
【００４９】
次に、図２、図３の１０１〜１１３を使って、コンテンツサーバの応答履歴を更新する動作を説明する。
【００５０】
ポータルサーバ１に接続（１０１）する、予め登録されている多数のユーザは、マイ・ポータルサイトを受信すると、ユーザ端末２から、任意のタイミングで、マイ・ポータルサイトで紹介されているWebサービスの利用要求を、ポータルサーバ１に送信することができる（１０６）。
【００５１】
ポータルサーバ１は、通信のコネクションから、ユーザ端末の要求開始時刻を記録して（１０７）、ユーザ端末２に指定されたコンテンツサーバ３に、サービス利用要求を代理として送信し（１０８）、コンテンツサーバ３は、要求されたWebサービスをポータルサーバ１に送信し（１０９）、ポータルサーバ１は、受信したWebサービスをコンテンツサーバ３の代理としてユーザ端末２に送信する（１１０）。
【００５２】
同時に、ポータルサーバ１はユーザからの受信応答から、ユーザ端末２の待ち時間を算出し（１１１）、応答履歴を更新する（１１２）。
【００５３】
同様な動作を、任意のタイミングでユーザ端末２がWebサービスの利用要求（１１３）を送信する毎に行い、ポータルサーバ１はWebサービス提供サーバの応答履歴の更新を継続する。
【００５４】
図４は、パラメータ編集する動作（１０４）の内容であり、ポータルサーバ１は該ユーザのユーザ設定情報データベース１３から抽出されたパラメータに記載内容に、待ち時間が閾値を超えるWebサービスがあれば（Ｓ１０１）、同じカテゴリに属しかつ待ち時間が最短のWebサービスを検索し（Ｓ１０２）、パラメータの内容を、同じカテゴリに属しかつ待ち時間が最短のWebサービスに関する記載に書き換える（Ｓ１０３）。
【００５５】
パラメータの中に、待ち時間が閾値を超えるWebサービスがなくなれば、編集作業を終了する。以上により、ポータルサーバ１は、ユーザ端末２に、待ち時間の少ないマイ・ポータルサイトを提供できる。
図５は、ユーザ識別情報データベース１１の内容の一例を示しており、図６は、コンテンツサーバ情報データベース１２の内容の一例であり、カテゴリは“ニュース”、“渋滞情報”、“株価情報”の３種類が登録され、カテゴリ毎に３種類のWebサービスが登録されている。
【００５６】
図７は、図５のユーザID=00000001が設定した、ユーザ設定情報データベース１３の内容の一例を示しており、図８は、図５のユーザID=00000001のユーザ設定情報データベース１３から作成されるパラメータの内容であり、図９は、ユーザ設定入力用ページ作成機能１６が作成した入力用ページのモニタイメージである。
【００５７】
図１０は、図８のパラメータを使って作成されるマイ・ポータルサイトのモニタイメージであり、図１１は、応答履歴データベース１４の内容例を示したものである。
【００５８】
図２〜４、６〜８、１１を用いて、ユーザID=00000001にアクセスされた場合において、ポータルサーバが図１０に表示しているマイ・ポータルサイトの内容を図１３のように編集するまでの動作について具体的に説明する。
【００５９】
ポータルサーバ１は、該ユーザに時刻：2001/03/01 18:43にアクセスされるとし、ユーザ端末２から受信するユーザ識別情報（ユーザID）を利用してユーザの識別を行いかつ図７のユーザ設定情報データベース１３の内容を更新し、該ユーザが設定したパラメータ(図８)を作成し(図３の１０２)、図１１の応答履歴データベース１４から、パラメータの中で待ち時間が閾値を超えているWebサービスを検索する。
【００６０】
カテゴリ“ニュース”の「夕日新聞」は図１１の応答履歴データベース１４を参照すると、待ち時間が８秒を超えており、カテゴリ“ニュース”の中で最短の待ち時間を期待できる「スパ日新聞」を該ユーザの“ニュース”となるようにパラメータを編集し、“渋滞情報” カテゴリの「交通速報」は図１１の応答履歴データベース１４を参照すると待ち時間が８秒を超えており、カテゴリ“渋滞情報”の中で、最短の待ち時間を期待できる「交通王国」を該ユーザの“渋滞情報”としてパラメータを編集し、「抜け道GoGo」の待ち時間は「渋滞王国」よりも短いが該ユーザのアクセス時刻が、「抜け道GoGo」の最新アクセス時刻から１０分以上経過しているので不採用とし、“株価情報”のサービス「kabucom」は待ち時間が８秒以内なので編集しない（図３の１０３）。
【００６１】
次に、編集されたパラメータ（図１２）を基に、該ユーザのマイ・ポータルサイトを作成する（図３の１０４）。
【００６２】
以上により、図１０のマイ・ポータルサイトのモニタイメージが、図１３のモニタイメージのように編集される。
【００６３】
また、本実施の形態１において、図２、図３に示したパラメータ編集動作において、ポータルサーバ１は、該ユーザのユーザ設定情報データベース１３から抽出されたパラメータに記載内容に、待ち時間が閾値を超えるWebサービスがあれば、同じカテゴリに属し、かつ、待ち時間が閾値を超えないWebサービス検索し、パラメータの内容を最初に検索された待ち時間が閾値を超えないWebサービス関する記載に書き換え、パラメータの中に、待ち時間が閾値を超えるWebサービスがなくなれば、編集作業を終了する実施の形態もある。
【００６４】
[実施の形態２]
図３に示した実施の形態１のパラメータ編集する動作（１０３）において、抽出したパラメータの中に待ち時間が閾値を超えるWebサービスがあれば、同じカテゴリに属しかつ待ち時間が閾値よりも短いWebサービスを検索し、検索されたWebサービスを一覧としてユーザが選択できるようにパラメータを編集する。
【００６５】
実施の形態２の動作について、図２、図１４を用いて説明する。
【００６６】
ポータルサーバ１は、該ユーザのユーザ設定情報データベース１３から抽出されたパラメータに記載内容に、待ち時間が閾値を超えるWebサービスがあれば（Ｓ１０１）、同じカテゴリに属し、かつ、待ち時間が閾値以下であるWebサービスを検索し、検索一覧を作成し（Ｓ１１２）、検索結果の一覧から、ユーザが選択できるように、パラメータの内容を書き換え（Ｓ１１３）、パラメータの中に待ち時間が閾値を超えるWebサービスがなくなれば、編集作業を終了する。
【００６７】
図２、３、６〜８、１１、１４を用いて、ポータルサーバ１が、図１０に表示しているマイ・ポータルサイトの内容を図１６のように編集するまでの動作について、具体的に説明する。
【００６８】
ポータルサーバ１は、ユーザ端末２にアクセスされると、ユーザ端末２から受信するユーザ識別情報（ユーザID）を利用してユーザの識別を行い、該ユーザが設定したパラメータ(図８)を作成し(図３の１０２)、図１１の応答履歴データベース１４から、パラメータの中で待ち時間が閾値を超えているWebサービスを検索すると、“ニュース”カテゴリの「夕日新聞」は待ち時間が８秒を超えており、カテゴリ“ニュース”の中で待ち時間が８秒以内であるサービスを再検索し、検索結果から「毎朝新聞」、「スパ日新聞」および「応答履歴の速い方」の３つの中から、ユーザが一覧として選択できるようにパラメータを編集し（図１５）、「応答履歴の速い方」には「スパ日新聞」をリンクし、“渋滞情報” と、“株価情報”の編集は、第１の実施例と同じである。
【００６９】
以上により、図１０のマイ・ポータルサイトのモニタイメージが、図１６のモニタイメージのように編集される。
【００７０】
[実施の形態３]
図１４に示した実施の形態２の抽出したパラメータを編集する動作において、検索されたWebサービスの一覧からある時間内のアクセス回数が、予め設定した閾値に達していないWebサービスを選択し、パラメータの内容を選択したWebサービスに書き換えるように編集する、本実施の形態について、図２、１７を用いて説明する。
【００７１】
Ｓ１０１、Ｓ１１２は、図１４と同じであり、ポータルサーバ１は検索一覧を作成した後（Ｓ１１２）、パラメータの内容を検索結果一覧から、選択できる予め設定された閾値にアクセス回数が達していないWebサービスに関する記載に書き換え（Ｓ１２３）、パラメータの中に待ち時間が閾値を超えるWebサービスがなくなれば、編集作業を終了する。
【００７２】
図２、３、６〜８、１７、１８を用いて、ユーザID=00000001にアクセスされた時、ポータルサーバ１が、図１０に表示しているマイ・ポータルサイトを図１９のように編集するまでの動作について、具体的に説明する。
【００７３】
図１８は、図１１と比較すると、カテゴリ“渋滞情報”の「抜け道GoGo」のアクセス時刻のみが異なる、応答履歴の内容例を示したものである。
【００７４】
ポータルサーバ１は、ユーザ端末２にアクセスされると、ユーザ端末２から受信するユーザ識別情報（ユーザID）を利用してユーザの識別を行い、該ユーザが設定したパラメータ(図８)を作成し(図３の１０２)、図１８の応答履歴データベース１４から、パラメータの中で、待ち時間が閾値を超えているWebサービスを検索すると、“ニュース”カテゴリの「夕日新聞」は待ち時間が８秒を超えており、カテゴリ“ニュース”の中で待ち時間が８秒以内でありかつ図６のコンテンツサーバ情報データベース１２のアクセス回数要求とアクセス回数の有効時間の設定内容により、２４時間以内のアクセス回数が８０００回に達していない「毎朝新聞」を該ユーザの”ニュース”として、パラメータを編集し、カテゴリ”渋滞情報“についても「抜け道GoGo」に編集する。
【００７５】
”株価情報“の編集は、実施の形態１と同じであり、図１０のマイ・ポータルサイトのモニタイメージが、図１９のモニタイメージのように編集される。
【００７６】
また、本実施の形態３において、図２、図３に示したパラメータ編集動作において、ポータルサーバ１は、該ユーザのユーザ設定情報データベース１３から抽出されたパラメータに記載内容に、待ち時間が閾値を超えるWebサービスがあれば、同じカテゴリに属しかつ待ち時間が閾値以下であるWebサービスを検索し、検索一覧を作成し、パラメータの内容を検索結果一覧から、現在時刻からアクセス回数の有効時間前までのアクセス回数が最小のWebサービスに書き換え、パラメータの中に待ち時間が閾値を超えるWebサービスがなくなれば、編集作業を終了する方法もある。
【００７７】
さらに、本実施の形態３において、図２、図３に示したパラメータ編集動作で、ポータルサーバ１は該ユーザのユーザ設定情報データベース１３から抽出されたパラメータに記載内容に、待ち時間が閾値を超えるWebサービスがあれば、同じカテゴリに属しかつ待ち時間が閾値以下であるWebサービスを検索し、検索一覧を作成し、パラメータの内容を検索結果一覧から任意のWebサービスを選択できるように書き換え、パラメータの中に待ち時間が閾値を超えるWebサービスがなくなれば、編集作業を終了する方法もある。
【００７８】
[実施の形態４]
図１４に示した実施の形態２の抽出したパラメータを編集する動作において、検索されたWebサービスの一覧から、現在アクセスされている数が予め設定した閾値よりも少ないWebサービスを選択し、パラメータの内容を選択したWebサービスに書き換えるように編集する、本実施の形態４について図２０を用いて説明する。
【００７９】
Ｓ１０１、Ｓ１１２は、図１４と同じであり、ポータルサーバ１は検索一覧を作成後（Ｓ１１２）、パラメータの内容を検索結果一覧から選択でき、現在のアクセス数が閾値より少ないWebサービスに書き換え（Ｓ１３３）、パラメータの中に待ち時間が閾値を超えるWebサービスがなくなれば、編集作業を終了する。
【００８０】
図２、３、６〜８、１８、２０を用いて、ユーザID=00000001にアクセスされた場合において、ポータルサーバが図１０に表示しているマイ・ポータルサイトを図２１のように編集するまでの動作について、具体的に説明する。
【００８１】
ポータルサーバ１はユーザ端末２にアクセスされると、ユーザ端末２から受信するユーザ識別情報（ユーザID）を利用してユーザの識別を行い、該ユーザが設定したパラメータ(図８)を作成後(図３の１０２)、図１８の応答履歴データベース１４から、パラメータの中で待ち時間が閾値を超えているWebサービスを検索し、“ニュース”カテゴリの「夕日新聞」は、待ち時間が８秒を超えており、カテゴリ“ニュース”の中で待ち時間が８秒以内でありかつ図６でのコンテンツサーバ情報データベース１２の制限アクセス数の設定内容により、現在のアクセス数が８０件を下回っている「毎朝新聞」を該ユーザの”ニュース”として、パラメータを編集し、カテゴリ”渋滞情報“についても、「交通王国」を編集する。
【００８２】
”株価情報“の編集は、第１の実施例と同じであり、図１０のマイ・ポータルサイトのモニタイメージが、図２１のモニタイメージのように編集される。
【００８３】
また、本実施の形態４において、図２、図３に示したパラメータ編集動作にで、ポータルサーバ１は該ユーザのユーザ設定情報データベース１３から抽出されたパラメータに記載内容に、待ち時間が閾値を超えるWebサービスがあれば、同じカテゴリに属しかつ待ち時間が閾値以下であるWebサービスを検索し、検索一覧を作成後、パラメータの内容を、検索結果一覧から現在のアクセス数が最小のWebサービスに書き換え、パラメータの中に待ち時間が閾値を超えるWebサービスがなくなれば、編集作業を終了する方法もある。
【００８４】
さらに、本実施の形態４において、図２、図３に示したパラメータ編集動作で、ポータルサーバ１は該ユーザのユーザ設定情報データベース１３から抽出されたパラメータに記載内容に待ち時間が閾値を超えるWebサービスがあれば、同じカテゴリに属しかつ待ち時間が閾値以下であるWebサービスを検索し、検索一覧を作成後、パラメータの内容を検索結果一覧から任意のWebサービスを選択できるように書き換え、パラメータの中に待ち時間が閾値を超えるWebサービスがなくなれば、編集作業を終了する方法もある。
【００８５】
【発明の効果】
第１の効果は、本発明によるポータルサイト作成方法およびポータルサイト作成装置でのコンテンツサーバの応答履歴を管理する方法において、ネットワーク負荷の増大を招くこと無く、最新のコンテンツサーバからの応答性に関する情報を収集できることである。
【００８６】
また、各コンテンツを提供しているWebサーバに余計な負荷をかけないことである。
【００８７】
第２の効果は、ユーザが常に最新の情報からWebサイト情報を取得できかつ待ち時間が所定の範囲である事が保証された最適なWebサイトへのアクセスが実現できることである。
【００８８】
第３の効果は、現時点でのアクセス数に応じて、Webサイトを選定することにより、Webサービスを提供しているWebサーバへのアクセスが集中する事を避けることができることである。
【００８９】
また、この結果、Webサーバにかかる負荷を平滑化できることである。
【００９０】
さらに、この結果、Webサーバの応答時間が改善されることである。
【００９１】
第４の効果は、Webサイトで行われている広告ビジネスが成り立つように、Webサイトへのアクセス回数が所定回数以上となることを保証できることである。
【図面の簡単な説明】
【図１】本発明の実施の形態１におけるポータルサーバの基本構成を示したものである。
【図２】本発明の実施の形態１における基本接続構成を示している。
【図３】本発明の実施の形態１におけるポータルサイトがユーザ端末にマイ・ポータルサイトを提供し、かつ、応答履歴を記録するまでの動作を示している。
【図４】本発明の実施の形態１におけるパラメータ編集する動作（１０４）の内容を示している。
【図５】本発明の実施の形態１におけるユーザ識別情報データベース１１の内容の一例を示している。
【図６】本発明の実施の形態１におけるコンテンツサーバ情報データベース１２の内容の一例を示している。
【図７】本発明の実施の形態１における図５のユーザID=00000001でのユーザ設定情報データベース１３の内容の一例を示している
【図８】本発明の実施の形態１における図５のユーザID=00000001のユーザ設定情報データベース１３から作成されるパラメータの内容を示している。
【図９】本発明の実施の形態１におけるユーザ設定入力用ページ作成機能１６が作成した入力用ページのモニタイメージを示している。
【図１０】本発明の実施の形態１における図８のパラメータを使って作成されるマイ・ポータルサイトのモニタイメージを示している。
【図１１】本発明の実施の形態１における応答履歴データベース１４の内容例を示したものである。
【図１２】実施の形態１での編集されたパラメータを示している。
【図１３】実施の形態１での編集されたマイ・ポータルサイトのモニタイメージを示している。
【図１４】実施の形態２の動作について示している。
【図１５】実施の形態２で編集されたパラメータを示している。
【図１６】実施の形態２で編集されたマイ・ポータルサイトのモニタイメージを示している。
【図１７】実施の形態３での動作の説明を示している。
【図１８】実施の形態３での応答履歴データベース１４の内容例を示したものである。
【図１９】実施の形態３で編集されたマイ・ポータルサイトのモニタイメージを示している。
【図２０】実施の形態４での動作の説明を示している。
【図２１】実施の形態４で編集されたマイ・ポータルサイトのモニタイメージを示している。
【符号の説明】
１    ポータルサーバ
２    ユーザ端末
３    コンテンツサーバ
１１    ユーザ識別情報データベース
１２    コンテンツサーバ情報データベース
１３    ユーザ設定情報データベース
１４    応答履歴データベース
１５    ユーザ設定登録機能
１６    ユーザ設定入力用ページ作成機能
１７    コンテンツサーバ登録機能
１８    ポータルサイト作成用パラメータ作成機能
１９    プロキシ機能
２０    ポータルサイト作成機能
【図１】
0003755147.tif 000002
【図２】
0003755147.tif 000003
【図３】
0003755147.tif 000004
【図４】
0003755147.tif 000005
【図５】
0003755147.tif 000006
【図６】
0003755147.tif 000007
【図７】
0003755147.tif 000008
【図８】
0003755147.tif 000009
【図９】
0003755147.tif 000010
【図１０】
0003755147.tif 000011
【図１１】
0003755147.tif 000012
【図１２】
0003755147.tif 000013
【図１３】
0003755147.tif 000014
【図１４】
0003755147.tif 000015
【図１５】
0003755147.tif 000016
【図１６】
0003755147.tif 000017
【図１７】
0003755147.tif 000018
【図１８】
0003755147.tif 000019
【図１９】
0003755147.tif 000020
【図２０】
0003755147.tif 000021
【図２１】
0003755147.tif 000022